(57)【要約】      （修正有）【課題】液吐出量が多いと、余分なアイライナー液が円弧状の貯液溝に溜められ、ブラシ毛の吐出量が不足すると、貯液溝内のアイライナー液がブラシ毛に補充され、ブラシ毛の吐出安定性がよくなる液体アイライナーを提供する。【解決手段】液溜め機能を有する液体アイライナーであって、ブラシシーズ本体２１０を有し、軸方向に延びる少なくとも一つの吸気孔２１１は、ブラシシーズ本体の前軸端に近い位置に穿設され、吸気孔の前端がブラシホルダーの外側から突出する。ブラシシーズ本体の外周側壁には軸方向に延びる少なくとも一つの第１排気溝が形成され、第１排気溝の前端が吸気孔に貫通し、第１排気溝の後端が分流ホルダーの第２排気溝に貫通する。ブラシシーズ本体の内周側壁には少なくとも一つの貯液溝部が設けられ、各貯液溝部は、ブラシシーズ本体の周方向に延びる円弧状の複数の貯液溝２１３からなり、貯液溝は、ブラシシーズ本体の軸方向に間隔をおいて配列される。【選択図】図３
0003222595.tif 000002
【実用新案登録請求の範囲】
【請求項１】
アイライナー液を収容する容器部（１）と、アイライナー液を導いて使用者の顔に塗布する塗布部（２）と、蓋部（３）を備える液溜め機能を有する液体アイライナーにおいて、
塗布部（２）は、ブラシホルダー（２０）と、ブラシシーズ（２１）と、分流ホルダー（２２）と、連結部（２３）と、導水芯（２４）と、導水芯（２４）の軸端に位置決め接続するブラシ毛（２５）とを有し、
ブラシホルダー（２０）と、ブラシシーズ（２１）と、分流ホルダー（２２）と、連結部（２３）とは同軸心に配置し、軸方向の両端が開口したスリーブ状の構造体であり、ブラシシーズ（２１）の後軸端と連結部（２３）の前軸端とはそれぞれ対応的にブラシホルダー（２０）の前軸端と後軸端に位置決め挿入され、分流ホルダー（２２）は、ブラシホルダー（２０）に内蔵されてブラシシーズ（２１）と連結部（２３）との間に位置し、分流ホルダー（２２）の軸方向の両端は、それぞれブラシシーズ（２１）の後軸端と連結部（２３）の前軸端とに当接し、
ブラシシーズ（２１）と分流ホルダー（２２）と連結部（２３）とが一体的に収容室を囲み、導水芯（２４）がブラシ毛（２５）と共に同軸的に収容室に位置決め挿入され、ブラシ毛（２５）の一部がブラシシーズ（２１）の前軸端の外側から突出し、
ブラシホルダー（２０）の外側壁には、径方向外向きに延びる第１凸縁（２００）が一周形成され、第１凸縁（２００）によりブラシホルダー（２０）が連結部（２３）に対応する第１部分とブラシシーズ（２１）に対応する第２部分とに分けられ、ブラシホルダー（２０）の第１部分は、容器部（１）に挿入され、容器部（１）と着脱可能に位置決め連結され、蓋部（３）は、ブラシホルダー（２０）の第２部分の外に着脱可能に嵌合され、
ブラシシーズ（２１）は、軸方向の両端が開口したスリーブ状構造体であるブラシシーズ本体（２１０）を有し、軸方向に延びる少なくとも一つの吸気孔（２１１）がブラシシーズ本体（２１０）の前軸端に近い位置に穿設され、吸気孔（２１１）の前端がブラシホルダー（２０）の外側から突出し、
ブラシシーズ本体（２１０）の外周側壁には、軸方向に延びる少なくとも一つの第１排気溝（２１２）が形成され、第１排気溝（２１２）の前端が吸気孔（２１１）に貫通し、第１排気溝（２１２）の後端が分流ホルダー（２２）の第２排気溝に貫通し、
ブラシシーズ本体（２１０）の内周側壁には、少なくとも一つの貯液溝部が設けられ、各貯液溝部はブラシシーズ本体（２１０）の周方向に延びる円弧状の複数の貯液溝（２１３）からなり、各貯液溝部における複数の円弧状の貯液溝（２１３）は、ブラシシーズ本体（２１０）の軸方向に間隔をおいて配列される、
ことを特徴とする液溜め機能を有する液体アイライナー。
【請求項２】
貯液溝部が二つあり、各貯液溝部の中の複数の円弧状の貯液溝（２１３）は、ブラシシーズ本体（２１０）の軸周りに対称に分布され、
吸気孔（２１１）が二つあり、二つの吸気孔（２１１）と二つの貯液溝部とが一対一に対応するとともに、吸気孔（２１１）の後側は、それぞれに対応する貯液溝部の前側まで延伸する、
ことを特徴とする請求項１に記載の液溜め機能を有する液体アイライナー。
【請求項３】
各貯液溝部の周方向両側の外に排気溝（２１２）がそれぞれ設けられ、各排気溝（２１２）の前側が貯液溝部に対応する吸気孔（２１１）に貫通し、各排気溝（２１２）の後側が分流ホルダー（２２）の第２排気溝に貫通し、
ブラシシーズ本体（２１０）には、各貯液溝部の後側にブラシケース本体の周方向に延びる円弧状の連通孔（２１４）が穿設され、排気溝（２１２）の後側は対応する円弧状の連通孔（２１４）に貫通し、
ブラシシーズ本体（２１０）の後軸端には、二つの切欠き（２１５）が設けられ、二つの切欠き（２１５）は、二つの円弧状連通孔（２１４）に一対一に対応して貫通する、
ことを特徴とする請求項２に記載の液溜め機能を有する液体アイライナー。
【請求項４】
ブラシシーズ本体（２１０）の外周側壁には、径方向外向きに延伸して二つの円弧状の第２凸縁（２１６）が二つの吸気孔（２１１）の間の位置に形成され、二つの第２凸縁（２１６）は、同一径方向平面上に位置し、いずれもブラシホルダー（２０）の前軸端端面の外側に当接可能である、
ことを特徴とする請求項２に記載の液溜め機能を有する液体アイライナー。
【請求項５】
分流ホルダー（２２）は、軸方向の両端が開口したスリーブ状の構造体である分流ホルダー本体を有し、分流ホルダー本体の外周側壁には、分流ホルダー本体の周方向に延びる複数の環状溝（２２０）が設けられ、複数の環状溝（２２０）は、分流ホルダー本体の軸方向に等間隔に配列され、
分流ホルダー本体の外周側壁には、分流ホルダー本体の軸方向に延びる第２排気溝が設けられ、第２排気溝は切欠き（２１５）に貫通し、
環状溝（２２０）の一部および第２排気溝は、いずれも分流ホルダー本体の内腔に貫通する、
ことを特徴とする請求項３に記載の液溜め機能を有する液体アイライナー。
【請求項６】
容器部（１）は、前軸側が開口した筒体構造である外瓶体（１０）と、軸方向の両側が開口したスリーブ状構造である内瓶体（１１）と、内栓（１２）とを有し、内栓（１２）は、内瓶体（１１）の後軸側開口に密封接続され、内瓶体（１１）と共に同軸的に外瓶体（１０）内に着脱可能に挿入され、
ブラシホルダー（２０）の第１部分は、外瓶体（１０）に挿入されて外瓶体（１０）に螺合されるとともに、連結部（２３）の後軸端は、内瓶体（１１）の前軸側の開口に密接に挿入される、
ことを特徴とする請求項１に記載の液溜め機能を有する液体アイライナー。
【請求項７】
蓋部（３）は、外蓋（３０）と、内スリーブ（３１）と、スプリング（３２）とを有し、外蓋（３０）と内スリーブ（３１）とは、前軸側が閉塞し後軸側が開口したスリーブ状構造体であり、内スリーブ（３１）とスプリング（３２）とが外蓋（３０）に内蔵され、スプリング（３２）の一端は、外蓋（３０）の前軸側の内面に嵌合し、スプリング（３２）の他端は、内スリーブ（３１）の前軸側に嵌合し、
内スリーブ（３１）の外側側壁には、前軸側に近い位置に径方向外向きに延びる第４凸縁が一周形成され、外蓋（３０）の内側側壁には、径方向内向きに延びる第１凸縁が形成され、第１凸縁は、第４凸縁に当接可能である、
ことを特徴とする請求項１に記載の液溜め機能を有する液体アイライナー。
【請求項８】
外蓋（３０）は、ブラシホルダー（２０）の第２部分の外に嵌合して係合するとともに、ブラシホルダー（２０）の前軸側が内スリーブ（３１）に挿入され内スリーブ（３１）の内側壁に当接する、
ことを特徴とする請求項７に記載の液溜め機能を有する液体アイライナー。
【考案の詳細な説明】
【技術分野】
【０００１】
本考案は、液体アイライナーの技術に関して、具体的には液溜め機能を有する液体アイライナーに関する。
【背景技術】
【０００２】
経済の発展と人々の生活水準の向上に伴い、人々はますます自分のイメージと健康を重視し始め、特に女性の化粧品を使う確率と頻度もますます高くなっている。マスカラブラシ、アイライナー、リップブラシなどは女性がよく使う化粧品である。
【０００３】
しかし、従来のアイライナーは、使用時に温度や気圧の不安定さなどによる影響があり、ブラシの吐出量に影響が与えられ、ブラシの吐出量が不安定になる。
【考案の概要】
【考案が解決しようとする課題】
【０００４】
上記の欠点を克服するために、本考案は液溜め機能を有する液体アイライナーを提供し、ブラシの吐出安定性を有効に保障することができる。
【課題を解決するための手段】
【０００５】
本考案がその技術的な問題を解決するために採用した技術案は、
アイライナー液を収容する容器部と、アイライナー液を導いて使用者の顔に塗布する塗布部と、蓋部を備える液溜め機能を有する液体アイライナーにおいて、
塗布部は、ブラシホルダーと、ブラシシーズと、分流ホルダーと、連結部と、導水芯と、導水芯の軸端に位置決め接続するブラシ毛とを有し、
ブラシホルダーと、ブラシシーズと、分流ホルダーと、連結部とは同軸心に配置し、軸方向の両端が開口したスリーブ状の構造体であり、ブラシシーズの後軸端と連結部の前軸端とはそれぞれ対応的にブラシホルダーの前軸端と後軸端に位置決め挿入され、分流ホルダーは、ブラシホルダーに内蔵されてブラシシーズと連結部との間に位置し、分流ホルダーの軸方向の両端は、それぞれブラシシーズの後軸端と連結部の前軸端とに当接し、
ブラシシーズと分流ホルダーと連結部とが一体的に収容室を囲み、導水芯がブラシ毛と共に同軸的に収容室に位置決め挿入し、ブラシ毛の一部がブラシシーズの前軸端の外側から突出し、
ブラシホルダーの外側壁には、径方向外向きに延びる第１凸縁が一周形成され、第１凸縁によりブラシホルダーが連結部に対応する第１部分とブラシシーズに対応する第２部分とに分けられ、ブラシホルダーの第１部分は、容器部１に挿入され、容器部１と着脱可能に位置決め連結され、蓋部は、ブラシホルダーの第２部分の外に着脱可能に嵌合され、
ブラシシーズは、軸方向の両端が開口したスリーブ状構造体であるブラシシーズ本体を有し、軸方向に延びる少なくとも一つの吸気孔がブラシシーズ本体の前軸端に近い位置に穿設され、吸気孔の前端がブラシホルダーの外側から突出し、
ブラシシーズ本体の外周側壁には、軸方向に延びる少なくとも一つの第１排気溝が形成され、第１排気溝の前端が吸気孔に貫通し、第１排気溝の後端が分流ホルダーの第２排気溝に貫通し、
ブラシシーズ本体の内周側壁には、少なくとも一つの貯液溝部が設けられ、各貯液溝部はブラシシーズ本体の周方向に延びる円弧状の複数の貯液溝からなり、各貯液溝部における複数の円弧状の貯液溝は、ブラシシーズ本体の軸方向に間隔をおいて配列される。
【０００６】
本考案の更なる改良として、貯液溝部が二つあり、各貯液溝部の中の複数の円弧状の貯液溝は、ブラシシーズ本体の軸周りに対称に分布され、
吸気孔が二つあり、二つの吸気孔と二つの貯液溝部とが一対一に対応するとともに、吸気孔の後側は、それぞれに対応する貯液溝部の前側まで延伸する。
【０００７】
本考案の更なる改良として、各貯液溝部の周方向両側の外に排気溝がそれぞれ設けられ、各排気溝の前側が貯液溝部に対応する吸気孔に貫通し、各排気溝の後側が分流ホルダーの第２排気溝に貫通し、
ブラシシーズ本体には、各貯液溝部の後側にブラシケース本体の周方向に延びる円弧状の連通孔が穿設され、排気溝の後側は対応する円弧状の連通孔に貫通し、
ブラシシーズ本体の後軸端には、二つの切欠きが設けられ、二つの切欠きは、二つの円弧状連通孔に一対一に対応して貫通する。
【０００８】
本考案の更なる改良として、ブラシシーズ本体の外周側壁には、径方向外向きに延伸して二つの円弧状の第２凸縁が二つの吸気孔の間の位置に形成され、二つの第２凸縁は、同一径方向平面上に位置し、いずれもブラシホルダーの前軸端端面の外側に当接可能である。
【０００９】
本考案の更なる改良として、分流ホルダーは、軸方向の両端が開口したスリーブ状の構造体である分流ホルダー本体を有し、分流ホルダー本体の外周側壁には、分流ホルダー本体の周方向に延びる複数の環状溝が設けられ、複数の環状溝は、分流ホルダー本体の軸方向に等間隔に配列され、
分流ホルダー本体の外周側壁には、分流ホルダー本体の軸方向に延びる第２排気溝が設けられ、第２排気溝は切欠きに貫通し、
環状溝の一部および第２排気溝は、いずれも分流ホルダー本体の内腔に貫通する。
【００１０】
本考案の更なる改良として、容器部は、前軸側が開口した筒体構造である外瓶体と、軸方向の両側が開口したスリーブ状構造である内瓶体と、内栓とを有し、内栓は内瓶体の後軸側開口に密封接続し、内瓶体と共に同軸的に外瓶体内に着脱可能に挿入され、
ブラシホルダーの第１部分は、外瓶体に挿入されて外瓶体に螺合されるとともに、連結部の後軸端は、内瓶体の前軸側の開口に密接に挿入される。
【００１１】
本考案の更なる改良として、蓋部は、外蓋と、内スリーブと、スプリングとを有し、外蓋と内スリーブとは、前軸側が閉塞し後軸側が開口したスリーブ状構造体であり、内スリーブとスプリングとが外蓋に内蔵され、スプリングの一端は、外蓋の前軸側の内面に嵌合し、スプリングの他端は、内スリーブの前軸側に嵌合し、
内スリーブの外側側壁には、前軸側に近い位置に径方向外向きに延びる第４凸縁が一周形成され、外蓋の内側側壁には、径方向内向きに延びる第１凸縁が形成され、第１凸縁は、第４凸縁に当接可能である。
【００１２】
本考案の更なる改良として、外蓋は、ブラシホルダーの第２部分の外に嵌合して係合するとともに、ブラシホルダーの前軸側が内スリーブ３１に挿入され内スリーブの内側壁に当接する。
【考案の効果】
【００１３】
本考案の有益な効果は、本考案は従来技術に比べて、ブラシシーズの構造を改良する一方、ブラシシーズ本体に、第１排気溝と、ブラシカバー本体の内腔を貫通する吸気孔とを設け、第１排気溝は、吸気孔と分流ホルダーの第２排気溝にもそれぞれ貫通する。したがって、空気は「吸気孔、第１排気溝、円弧状の連通孔、切欠き、第２排気溝、分流ホルダーの内腔、連結部の内腔、送液孔」を通って内瓶体に入り、液体アイライナーの内外圧力が等しくなり、使用時に重力によりアイライナー液がブラシ毛まで流れ、ブラシ毛の液吐出を安定させる。一方、ブラシシーズ本体の内周側壁には、少なくとも一つの貯液溝部が設けられ、貯液溝部は、ブラシシーズ本体の周方向に延びる円弧状の複数の貯液溝からなり、各貯液溝部における複数の円弧状の貯液溝はブラシシーズ本体の軸方向に間隔をおいて配列される。したがって、液吐出量が多いと、余分なアイライナー液が円弧状の貯液溝に溜められ、ブラシ毛の吐出量が不足すると、貯液溝内のアイライナー液がブラシ毛に補充され、ブラシ毛の吐出安定性がよくなることが保障される。
【図面の簡単な説明】
【００１４】
【図１】本考案のアイライナーの構造を示す図である。
【図２】本考案の塗布部の構造拡大図である。
【図３】本考案の一つの角度から見たブラシカバーの断面構造図である。
【図４】本考案の別の角度から見たブラシカバーの断面構造図である。
【考案を実施するための形態】
【００１５】
添付図面を参照して、本考案について詳しく説明するが、本考案の保護範囲は、本考案出願の特許範囲及び明細書の内容で作成した簡単な等価変化と改変は、本考案特許の範囲内であることを示す実施例に限定されない。
【００１６】
（実施例１）
本考案の図１は、本考案に係る液体アイライナーの構造を示す。液体アイライナーは、アイライナー液を収容する容器部１と、アイライナー液を導いて使用者の顔に塗布する塗布部２と、蓋部３を備える。塗布部２はブラシホルダー２０と、ブラシシーズ２１と、分流ホルダー２２と、連結部２３と、導水芯２４と、導水芯２４の軸端に位置決め接続するブラシ毛２５とを有する。ブラシホルダー２０と、ブラシシーズ２１と、分流ホルダー２２と、連結部２３とが同軸心に配置し、軸方向の両端が開口したスリーブ状の構造体である。ブラシシーズ２１の後軸端と連結部２３の前軸端とは、それぞれ対応的にブラシホルダー２０の前軸端と後軸端に位置決め挿入される。分流ホルダー２２は、ブラシホルダー２０に内蔵されてブラシシーズ２１と連結部２３との間に位置し、分流ホルダー２２の軸方向の両端は、それぞれブラシシーズ２１の後軸端と連結部２３の前軸端とに当接する。また、前記ブラシシーズ２１と分流ホルダー２２と連結部２３とが一体的に収容室を囲み、導水芯２４がブラシ毛２５と共に同軸的に収容室に位置決め挿入され、ブラシ毛２５の一部がブラシシーズ２１の前軸端の外側から突出する。さらに、ブラシホルダー２０の外側壁には、径方向外向きに延びる第１凸縁２００が一周形成される。第１凸縁２００によりブラシホルダー２０が連結部２３に対応する第１部分とブラシシーズ２１に対応する第２部分とに分けられる。ブラシホルダー２０の第１部分は、容器部１に挿入され、容器部１と着脱可能に位置決め連結される。蓋部３は、ブラシホルダー２０の第２部分外に着脱可能に嵌合される。ブラシシーズ２１は、軸方向の両端が開口したスリーブ状構造体であるブラシシーズ本体２１０を有する。軸方向に延びる少なくとも１本の吸気孔２１１がブラシシーズ本体２１０の前軸端に近接位置に穿設され、吸気孔２１１の前端がブラシホルダー２０の外側から突出する。さらに、ブラシシーズ本体２１０の外周側壁には、軸方向に延びる少なくとも一つの第１排気溝２１２が形成される。第１排気溝２１２の前端が吸気孔２１１に貫通し、第１排気溝２１２の後端が分流ホルダー２２の第２排気溝に貫通する。また、ブラシシーズ本体２１０の内周側壁には少なくとも一つの貯液溝部が設けられる。貯液溝部は、ブラシシーズ本体２１０の周方向に延びる円弧状の複数の貯液溝２１３からなる。各貯液溝部における複数の円弧状の貯液溝２１３は、ブラシシーズ本体２１０の軸方向に間隔をおいて配列される。本考案は従来技術に比べて、ブラシシーズの構造を改良する一方、ブラシシーズ本体に第１排気溝と、ブラシカバー本体の内腔を貫通する吸気孔とを設け、第１排気溝は吸気孔と分流ホルダーの第２排気溝にもそれぞれ貫通する。したがって、空気は「吸気孔、第１排気溝、円弧状の連通孔、切欠き、第２排気溝、分流ホルダーの内腔、連結部の内腔、送液孔」を通って内瓶体に入り、液体アイライナーの内外圧力が等しくなり、使用時に重力によりアイライナー液がブラシ毛まで流れ、ブラシ毛の液吐出を安定させる。一方、ブラシシーズ本体の内周側壁には、少なくとも一つの貯液溝部が設けられ、貯液溝部は、ブラシシーズ本体２１０の周方向に延びる円弧状の複数の貯液溝２１３からなる。各貯液溝部における複数の円弧状の貯液溝２１３は、ブラシシーズ本体２１０の軸方向に間隔をおいて配列されることで、液吐出量が多いと、余分なアイライナー液が円弧状の貯液溝に溜められ、ブラシ毛の吐出量が不足すると、貯液溝内のアイライナー液がブラシ毛に補充され、ブラシ毛の吐出安定性がよくなることが保障される。また、ブラシシーズ本体２１０の外周側壁には、円弧状貯液溝２１３に対応する位置にブラシシーズの周方向に延びる円弧状の凹溝がそれぞれ形成され、円弧状の凹溝が設けられることで、ブラシシーズとブラシホルダー２０との間に空気が流れやすいようになっている。
【００１７】
本実施例では、図３〜図４に示すように、貯液溝部が二つあり、各貯液溝部の中の複数の円弧状貯液溝２１３は、ブラシシーズ本体２１０の軸周りに対称に分布される。吸気孔２１１も二つあり、二つの吸気孔２１１と二つの貯液溝部とが一対一に対応するとともに、吸気孔２１１の後側はそれぞれに対応する貯液溝部の前側まで延伸する。
【００１８】
更なる改良として、各貯液溝部の周方向両側の外に排気溝２１２がそれぞれ設けられ、各排気溝２１２の前側が貯液溝部に対応する吸気孔２１１に貫通し、各排気溝２１２の後側が分流ホルダー２２の第２排気溝に貫通する。
【００１９】
さらに、ブラシシーズ本体２１０には、各貯液溝部の後側にブラシケース本体の周方向に延びる円弧状の連通孔２１４が穿設され、排気溝２１２の後側は対応する円弧状の連通孔２１４に貫通し、さらにブラシシーズの内腔に貫通する。また、ブラシシーズ本体２１０の後軸端には、二つの切欠き２１５が設けられ、二つの切欠き２１５は、二つの円弧状連通孔２１４に一対一に対応して貫通する。
【００２０】
更なる改良として、ブラシシーズ本体２１０の外周側壁には、径方向外向きに延伸して二つの円弧状の第２凸縁２１６が二つの吸気孔２１１の間の位置に形成され、二つの第２凸縁２１６は、同一径方向平面上に位置し、いずれもブラシホルダー２０の前軸端端面の外側に当接可能である。
【００２１】
本実施例では、本考案の図２に示すように、分流ホルダー２２は、軸方向の両端が開口したスリーブ状の構造体である分流ホルダー本体を有し、分流ホルダー本体の外周側壁には、分流ホルダー本体の周方向に延びる複数の環状溝２２０が設けられ、複数の環状溝２２０は、分流ホルダー本体の軸方向に等間隔に配列される。さらに、分流ホルダー本体の外周側壁には、分流ホルダー本体の軸方向に延びる第２排気溝が設けられ、第２排気溝は切欠き２１５に貫通する。また、分流ホルダー本体に貫通孔が穿設されることで、環状溝２２０の一部および第２排気溝は、いずれも分流ホルダー本体の内腔に貫通できる。
【００２２】
本実施例では、容器部１は、前軸側が開口した筒体構造である外瓶体１０と、軸方向の両側が開口したスリーブ状構造である内瓶体１１と、内栓１２とを有する。内栓１２は、内瓶体１１の後軸側開口に密封接続し、内瓶体１１と共に同軸的に外瓶体１０内に着脱可能に挿入される。また、ブラシホルダー２０の第１部分は、外瓶体１０に挿入されて外瓶体１０に螺合されるとともに、連結部２３の後軸端は、内瓶体１１の前軸側の開口に密接に挿入される。
【００２３】
本実施例では、連結部２３は、中空筒体である連結本体を有し、連結本体の前軸端が開口し、連結本体の後軸端端面に開口した二つの送液孔２３０が連結本体の周側壁の後軸端に近接する位置に穿設され、二つの送液孔２３０は、対称に設けられる。さらに、連結部２３の外周側壁には、径方向外向きに第３凸縁２３１が一周形成され、第３凸縁２３１により連結部２３は第１区分と第２区分に分けられる。第１区分は、ブラシホルダー２０の後軸端に挿入されて係合し、係合方式は、例えば、第１区分の外側壁に突起を設け、ブラシホルダーの内側壁に突起に係合する窪みを設けてよい。第２区分は、内瓶体１１の前軸側の開口に密接に挿入され、例えば、係合や螺合してよい。
【００２４】
本実施例では、蓋部３は、外蓋３０と、内スリーブ３１と、スプリング３２とを有する。外蓋３０と内スリーブ３１とが前軸側が閉塞し後軸側が開口したスリーブ状構造体であり、内スリーブ３１とスプリング３２とが外蓋３０に内蔵され、外蓋３０の前軸側の内面に接続ブッロクを設けることでスプリング３２の一端は、外蓋３０の前軸側の内面に嵌合し、スプリング３２の他端は、内スリーブ３１の前軸側に嵌合する。
【００２５】
また、内スリーブ３１の外側側壁には、前軸側に近い位置に径方向外向きに延びる第４凸縁が一周形成され、外蓋３０の内側側壁には、径方向内向きに延びる第１凸縁が一周形成され、第１凸縁は、第４凸縁に当接可能であるため、外蓋３０から内スリーブ３１の離脱を防止できる。
【００２６】
更なる改良として、外蓋３０は、ブラシホルダー２０の第２部分の外に嵌合して係合するとともに、ブラシホルダー２０の前軸側が内スリーブ３１に挿入され内スリーブ３１の内側壁に当接する。すなわち内スリーブ３１がブラシホルダー２０の前軸側の外周面に当接して密閉ができる。また、外蓋３０がブラシホルダー２０の第２部分に係合する形態としては、ブラシホルダー２０の第２部分の外側側壁には第２凸縁が一周設けられ、外蓋３０の内側側壁の後軸側に近い位置に窪みが凹設され、第２凸縁が窪みに係合可能である。あるいは、ブラシホルダー２０の第２部分の外側側壁には窪みが凹設され、外蓋３０の内側側壁の後軸側に近い位置に第２凸縁が一周設けられる。
【符号の説明】
【００２７】
１  容器部
１０  外瓶体
１１  内瓶体
１２  内栓
２  塗布部
２０  ブラシホルダー
２１  ブラシシーズ
２２  分流ホルダー
２３  連結部
２４  導水芯
２５  ブラシ毛
２００  第１凸縁
２１０  ブラシシーズ本体
２１１  吸気孔
２１２  第１排気溝
２１３  円弧状の貯液溝
２１４  円弧状の連通孔
２１５  切欠き
２１６  第２凸縁
２２０  環状溝
２３０  送液孔
２３１  第３凸縁
３  蓋部
３０  外蓋
３１  内スリーブ
３２  スプリング
【図１】
0003222595.tif 000003
【図２】
0003222595.tif 000004
【図３】
0003222595.tif 000005
【図４】
0003222595.tif 000006